(57)【要約】【課題】ウキ止めのウキ止め掛止体からの取り外しを容易に行うことができると共に、安価で再生が容易な釣り用ウキを提供する。【解決手段】ウキ止め１２を一時的に停止させるウキ止め掛止体１６と、ウキ止め１２を制止させるウキ止め制止体２３を有し、錘２８でウキ止め１２をウキ止め制止体２３に誘導させる釣り用ウキ１０であって、貫通孔１４の前端又は後端開口部１５、１５ａに鍔部１７と筒部１８を嵌着させてなり、ウキ止め１２より大きく中心を貫通孔１４の中心と偏心させてなる道糸挿通孔１９と、この偏心方向の筒部肉厚部２０に道糸１３より大きくウキ止め１２より小さい幅の溝２１と、この側面に対面するようにテーパ部２２を有し、道糸１３の挿通を一時的に停止させるためのウキ止め掛止体１６と、貫通孔１４の後端開口部１５ａ周辺部のウキ本体１１の外表面に取り付けるウキ止め制止体２３を有する。【選択図】図１
2008148591.tif 000002
【特許請求の範囲】
【請求項１】
卵型形状の長手方向中心部にウキ止めを含めた道糸を挿通できる貫通孔を設けるウキ本体に取り付けられ前記ウキ止めの挿通を一時的に停止させることができるウキ止め掛止体と、前記ウキ本体に取り付けられ前記ウキ止めの挿通を制止させることができるウキ止め制止体を有し、前記道糸の先端部、又はハリスに取り付けられる錘で前記ウキ止めを前記ウキ止め制止体に誘導させる釣り用ウキであって、
前記貫通孔の前端又は後端開口部に鍔部と筒部からなる筒体を嵌着させてなり、前記ウキ止めより大きい直径で中心を前記貫通孔の中心と偏心させてなる道糸挿通孔と、該道糸挿通孔の偏心方向の前記筒部肉厚部に開口間を連通させて前記道糸の直径より大きく前記ウキ止めの外形より小さい幅の溝と、前記道糸挿通孔の両端開口部の前記溝側面に対面するようにテーパ部を有し、前記道糸の挿通を前記ウキ止めで一時的に停止させるための前記筒体からなる前記ウキ止め掛止体と、前記溝の深さ方向に延設する方向の前記貫通孔の後端開口部周辺部の前記ウキ本体の外表面に取り付ける環状掛止体に基端側を着脱自在とし、他端側に前記道糸を挿通させて、前記ウキ止めの進入を制止するための環状部を備える前記ウキ止め制止体を有することを特徴とする釣り用ウキ。
【請求項２】
卵型形状の長手方向中心部にウキ止めを含めた道糸を挿通できる貫通孔を設けるウキ本体に取り付けられ前記ウキ止めの挿通を一時的に停止させることができるウキ止め掛止体と、前記ウキ本体に取り付けられ前記ウキ止めの挿通を制止させることができるウキ止め停止体を有し、前記道糸の先端部、又はハリスに取り付けられる錘で前記ウキ止めを前記ウキ止め停止体に誘導させる釣り用ウキであって、
前記貫通孔の前端開口部に鍔部と、筒部からなる筒体を嵌着させてなり、前記ウキ止めより大きい直径で中心を前記貫通孔の中心と偏心させてなる道糸挿通孔と、該道糸挿通孔の偏心方向の前記筒部肉厚部に開口間を連通させて前記道糸の直径より大きく前記ウキ止めの外形より小さい幅の溝と、前記道糸挿通孔の両端開口部の前記溝側面に対面するようにテーパ部を有し、前記道糸の挿通を前記ウキ止めで一時的に停止させるための前記筒体からなる前記ウキ止め掛止体と、前記貫通孔の後端開口部に鍔部、筒部、及び該筒部の一方側の開口を塞ぐ隔壁部からなる筒状体を嵌着させてなり、前記隔壁部の中央部に前記道糸の直径より大きく前記ウキ止めの外形より小さい幅の前記道糸を挿通させて、前記ウキ止めの進入を制止するための縦長の切り欠きを有し、前記隔壁部が前記筒部の径に対して対向する方向に設けられると共に、前記溝の深さ方向と同方向側に向かって下方側が前記鍔部側に近接する傾斜を備える前記筒状体からなる前記ウキ止め停止体を有することを特徴とする釣り用ウキ。
【発明の詳細な説明】
【技術分野】
【０００１】
本発明は、魚釣りに用いるためのウキに関し、より詳細には、様々な気象条件下にあっても比較的深い層を遊泳している敏感な魚に対しての釣りに好適な釣り用ウキの改良に関する。
【背景技術】
【０００２】
従来より、釣り用ウキには、一般に、玉ウキタイプと、棒ウキタイプ等があるが、狙う魚の種類によって用いるウキの種類が異なり、魚の習性に会わせた使い勝手のよいウキの選択がなされている。例えば、岩場の岸から若干離れた深い棚に生息する黒鯛（チヌ）を狙う場合には、比較的遠くに飛ばし易い玉ウキタイプの釣り用ウキが用いられている。図６に示すように、従来の玉ウキタイプの釣り用ウキ５０は、卵型形状や、どんぐり型形状等からなるウキ本体５１の長手方向中心部にウキ止め５２を備えた道糸５３を挿通させるための貫通孔５４を設けている。そして、道糸５３は、ウキ止め５２で直接、あるいは、ウキ球５５等を介してウキ本体５１の貫通孔５４入り口の前端開口部５６で止まるようになっている。貫通孔５４を通過した道糸５３の先には、貫通孔５４の径より大きい形状のスイベル５７等を取り付けて道糸５３が貫通孔５４から抜けないようにしている。更に、スイベル５７等の先には、ハリス５８を取り付けてその先に釣り針５９を取り付けている。なお、ウキ止め５２を貫通孔５４入り口の前端開口部５６で停止させるためには、スイベル５７の重量や、これに加えて貫通孔５４出口の後端開口部５６ａから出た部分の道糸５３や、ハリス５８に取り付ける錘６０の重量で道糸５３を挿通させてウキ止め５２を貫通孔５４入り口の前端開口部５６に誘導させている。そして、この釣り用ウキ５０を用いて魚を狙う場合には、潮流に沿って投げ込まれたウキ本体５１に取り付けられた道糸５３がウキ止め５２で固定して釣り針５９までの棚深さが決められている。そして、表層を浮遊する釣り用ウキ５０は、通常、潮流の早さが表層から下層に行くほど遅くなるので、ウキ本体５１に引っ張られて釣り針５９よりハリス５８が先行することとなっている。潮流に対峙して餌を待つ魚は、このハリス５８の存在で警戒心が働き餌を食わなくなるので、時々道糸５３を引っ張って、道糸５３の先のハリス５８をたぐり寄せて釣り針５８を先行させるようにしている。
【０００３】
しかしながら、従来の釣り用ウキ５０は、道糸５３を引っ張ることでウキ止め５２が巻き戻されることとなり、スイベル５７が貫通孔５４の後端開口部５６ａで止まるまでの間の釣り針５９までの棚深さが浅くなり、釣り針５９が魚の遊泳層からずれるという問題があり、魚のあたりを低下させていた。
【０００４】
上記の問題を解決するための釣り用ウキには、ウキ本体と、道糸の所定位置に固定されるウキ止めと、ウキ止めより大きい孔径でウキ本体に貫通して形成された道糸挿通孔と、道糸挿通孔の後端開口部にウキ止めより小さい溝幅で一方向に拡径して形成されたウキ止め掛止部とを有して構成される釣り用ウキが提案されている。この釣り用ウキにおいては、必要に応じて道糸上の所定位置にウキ本体を固定してラインコントロール性を高めて、比較的深い棚までの魚の効果的なあたりが得られることを狙っている（例えば、特許文献１参照）。
【０００５】
【特許文献１】特開２００２−３１５４８４号公報
【発明の開示】
【発明が解決しようとする課題】
【０００６】
しかしながら、前述したような従来の釣り用ウキは、未だ解決すべき次のような問題がある。
（１）特開２００２−３１５４８４号公報で開示される釣り用ウキは、ウキ止め掛止部がウキ止めより大きい孔径でウキ本体に貫通して形成された道糸挿通孔と、道糸挿通孔の後端開口部にウキ止めより小さい溝幅で一方向に拡径して形成されており、道糸挿通孔を通過したウキ止めを道糸挿通孔から再び引っ張り出そうとする溝の部分が垂直となっているので、ウキ止めが溝に引っかかってウキ本体を引っ張って潮流にあわせた釣り針の先行を行うことができるものの、魚のあたりがあった場合にウキ止めが溝に引っかかって外すのが容易でなく、素早い道糸の操作を阻害することとなっている。
（２）特開２００２−３１５４８４号公報で開示される釣り用ウキは、ウキ止め掛止部がウキ本体に直接形成されているので、作製が容易でなく釣り用ウキのコストアップとなっている。また、ウキ止め掛止部の溝は、道糸の挿通によって摩耗が発生するが、その都度釣り用ウキ全体を廃棄することとなっている。
【０００７】
本発明は、かかる事情に鑑みてなされたものであって、ウキ止めのウキ止め掛止体からの取り外しを容易に行うことができると共に、安価で再生が容易な釣り用ウキを提供することを目的とする。
【課題を解決するための手段】
【０００８】
前記目的に沿う第１の発明に係る釣り用ウキは、卵型形状の長手方向中心部にウキ止めを含めた道糸を挿通できる貫通孔を設けるウキ本体に取り付けられウキ止めの挿通を一時的に停止させることができるウキ止め掛止体と、ウキ本体に取り付けられウキ止めの挿通を制止させることができるウキ止め制止体を有し、道糸の先端部、又はハリスに取り付けられる錘でウキ止めをウキ止め制止体に誘導させる釣り用ウキであって、貫通孔の前端又は後端開口部に鍔部と筒部からなる筒体を嵌着させてなり、ウキ止めより大きい直径で中心を貫通孔の中心と偏心させてなる道糸挿通孔と、道糸挿通孔の偏心方向の筒部肉厚部に開口間を連通させて道糸の直径より大きくウキ止めの外形より小さい幅の溝と、道糸挿通孔の両端開口部の溝側面に対面するようにテーパ部を有し、道糸の挿通をウキ止めで一時的に停止させるための筒体からなるウキ止め掛止体と、溝の深さ方向に延設する方向の貫通孔の後端開口部周辺部のウキ本体の外表面に取り付ける環状掛止体に基端側を着脱自在とし、他端側に道糸を挿通させて、ウキ止めの進入を制止するための環状部を備えるウキ止め制止体を有する。
【０００９】
前記目的に沿う第２の発明に係る釣り用ウキは、卵型形状の長手方向中心部にウキ止めを含めた道糸を挿通できる貫通孔を設けるウキ本体に取り付けられウキ止めの挿通を一時的に停止させることができるウキ止め掛止体と、ウキ本体に取り付けられウキ止めの挿通を制止させることができるウキ止め停止体を有し、道糸の先端部、又はハリスに取り付けられる錘でウキ止めをウキ止め停止体に誘導させる釣り用ウキであって、貫通孔の前端開口部に鍔部と、筒部からなる筒体を嵌着させてなり、ウキ止めより大きい直径で中心を貫通孔の中心と偏心させてなる道糸挿通孔と、道糸挿通孔の偏心方向の筒部肉厚部に開口間を連通させて道糸の直径より大きくウキ止めの外形より小さい幅の溝と、道糸挿通孔の両端開口部の溝側面に対面するようにテーパ部を有し、道糸の挿通をウキ止めで一時的に停止させるための筒体からなるウキ止め掛止体と、貫通孔の後端開口部に鍔部、筒部、及び筒部の一方側の開口を塞ぐ隔壁部からなる筒状体を嵌着させてなり、隔壁部の中央部に道糸の直径より大きくウキ止めの外形より小さい幅の道糸を挿通させて、ウキ止めの進入を制止するための縦長の切り欠きを有し、隔壁部が筒部の径に対して対向する方向に設けられると共に、溝の深さ方向と同方向側に向かって下方側が鍔部側に近接する傾斜を備える筒状体からなるウキ止め停止体を有する。
【発明の効果】
【００１０】
請求項１記載の釣り用ウキは、卵型形状の長手方向中心部にウキ止めを含めた道糸を挿通できる貫通孔を設けるウキ本体に取り付けられウキ止めの挿通を一時的に停止させることができるウキ止め掛止体と、ウキ本体に取り付けられウキ止めの挿通を制止させることができるウキ止め制止体を有し、道糸の先端部、又はハリスに取り付けられる錘でウキ止めをウキ止め制止体に誘導させる釣り用ウキであって、貫通孔の前端又は後端開口部に鍔部と筒部からなる筒体を嵌着させてなり、ウキ止めより大きい直径で中心を貫通孔の中心と偏心させてなる道糸挿通孔と、道糸挿通孔の偏心方向の筒部肉厚部に開口間を連通させて道糸の直径より大きくウキ止めの外形より小さい幅の溝と、道糸挿通孔の両端開口部の溝側面に対面するようにテーパ部を有し、道糸の挿通をウキ止めで一時的に停止させるための筒体からなるウキ止め掛止体と、溝の深さ方向に延設する方向の貫通孔の後端開口部周辺部のウキ本体の外表面に取り付ける環状掛止体に基端側を着脱自在とし、他端側に道糸を挿通させて、ウキ止めの進入を制止するための環状部を備えるウキ止め制止体を有するので、ウキ止めをウキ止め掛止体の道糸挿通孔の前端開口部の溝側面に対面するように設けたテーパ部によって、ウキ止めを道糸挿通孔に容易に通過させることができると共に、ウキ止め制止体や、錘の重量によって溝の開口側を上方に向けて道糸を溝に容易に誘導させながら貫通孔や、道糸挿通孔を通過させたウキ止めをウキ止め制止体の環状部で制止させて道糸の繰り出しを止めることができる。また、ハリス等を移動させて釣り針を魚側に先行させるために道糸を引っ張る場合には、道糸挿通孔を通過した道糸がスイベル等のウキ止め制止体や、錘の重量で下方に引っ張られてウキ本体の貫通孔の後端開口部に対して鈍角的になっているので、ウキ止めをウキ止め掛止体の後端開口部の溝に掛止させることができ、ウキ本体から釣り針までの棚深さを変更させることなく潮流にあわせて釣り用ウキを引っ張ってハリスより釣り針を魚側に先行させることができる。また、釣り用ウキが水面下に沈んで釣り針に魚のあたりがあった場合には、ウキ本体の貫通孔の後端開口部側を下にして水面下に鋭角的に急激に沈み始めると共に、ウキ止め掛止体の後端開口部の溝側面に対面するように設けたテーパ部によって、ウキ止めを溝から外すのが容易であって素早い道糸の操作を行うことができる。更には、ウキ止め掛止体は、ウキ本体に設ける貫通孔に嵌着させるので、釣り用ウキの作製が容易であると同時に、ウキ止め掛止体の溝に摩耗が発生した時には、ウキ止め掛止体を取り替えることで釣り用ウキが再生でき、安価で再生が容易な釣り用ウキを提供することができる。
【００１１】
請求項２記載の釣り用ウキは、卵型形状の長手方向中心部にウキ止めを含めた道糸を挿通できる貫通孔を設けるウキ本体に取り付けられウキ止めの挿通を一時的に停止させることができるウキ止め掛止体と、ウキ本体に取り付けられウキ止めの挿通を制止させることができるウキ止め停止体を有し、道糸の先端部、又はハリスに取り付けられる錘でウキ止めをウキ止め停止体に誘導させる釣り用ウキであって、貫通孔の前端開口部に鍔部と、筒部からなる筒体を嵌着させてなり、ウキ止めより大きい直径で中心を貫通孔の中心と偏心させてなる道糸挿通孔と、道糸挿通孔の偏心方向の筒部肉厚部に開口間を連通させて道糸の直径より大きくウキ止めの外形より小さい幅の溝と、道糸挿通孔の両端開口部の溝側面に対面するようにテーパ部を有し、道糸の挿通をウキ止めで一時的に停止させるための筒体からなるウキ止め掛止体と、貫通孔の後端開口部に鍔部、筒部、及び筒部の一方側の開口を塞ぐ隔壁部からなる筒状体を嵌着させてなり、隔壁部の中央部に道糸の直径より大きくウキ止めの外形より小さい幅の道糸を挿通させて、ウキ止めの進入を制止するための縦長の切り欠きを有し、隔壁部が筒部の径に対して対向する方向に設けられると共に、溝の深さ方向と同方向側に向かって下方側が鍔部側に近接する傾斜を備える筒状体からなるウキ止め停止体を有するので、ウキ止めをウキ止め掛止体の道糸挿通孔の前端開口部の溝側面に対面するように設けたテーパ部によって、ウキ止めを道糸挿通孔に容易に通過させることができると共に、錘の重量とウキ止め停止体の隔壁部に設ける切り欠きによって、溝の開口側を上方に向けて道糸を溝に容易に誘導させながら、道糸挿通孔を通過させたウキ止めをウキ止め停止体の隔壁部に設ける切り欠きで制止させ、貫通孔内に停滞させて道糸の繰り出しを止めることができる。また、ハリス等を移動させて釣り針を魚側に先行させるために道糸を引っ張る場合には、道糸挿通孔を通過した道糸が錘の重量で下方に引っ張られてウキ本体の貫通孔の後端開口部に対して鈍角的になっているので、ウキ止めをウキ止め掛止体の後端開口部の溝に容易に掛止させることができ、ウキ本体から釣り針までの棚深さを変更させることなく潮流にあわせて釣り用ウキを引っ張ってハリスより釣り針を魚側に先行させることができる。また、釣り用ウキが水面下に沈んで釣り針に魚のあたりがあった場合には、ウキ本体の貫通孔の後端開口部側を下にして水面下に鋭角的に急激に沈み始めると共に、ウキ止め掛止体の後端開口部の溝側面に対面するように設けたテーパ部によって、ウキ止めを溝から外すのが容易であって素早い道糸の操作を行うことができる。更には、ウキ止め掛止体や、ウキ止め停止体は、ウキ本体に設ける貫通孔に嵌着させるので、釣り用ウキの作製が容易であると同時に、ウキ止め掛止体の道糸挿通孔の壁面や、溝に摩耗が発生した時や、ウキ止め停止体の切り欠きに摩耗が発生した時は、ウキ止め掛止体や、ウキ止め停止体を新たなものに取り替えることで釣り用ウキが再生でき、安価で再生が容易な釣り用ウキを提供することができる。
【発明を実施するための最良の形態】
【００１２】
続いて、添付した図面を参照しつつ、本発明を具体化した実施の形態について説明し、本発明の理解に供する。
ここに、図１は第１の発明の一実施の形態に係る釣り用ウキの説明図、図２（Ａ）、（Ｂ）はそれぞれ同釣り用ウキの縦断面図、Ａ−Ａ’線拡大縦断面図、図３（Ａ）、（Ｂ）はそれぞれ同釣り用ウキの変形例の釣り用ウキの縦断面図、Ｂ−Ｂ’線拡大縦断面図、図４は第２の発明の一実施の形態に係る釣り用ウキの説明図、図５（Ａ）、（Ｂ）はそれぞれ同釣り用ウキの縦断面図、側面図である。
【００１３】
図１、図２（Ａ）、（Ｂ）を参照しながら、第１の発明の一実施の形態に係る釣り用ウキを説明する。図１に示すように、第１の発明の一実施の形態に係る釣り用ウキ１０は、木製や、プラスチック製等からなる卵型形状や、どんぐり型形状等に形成された玉ウキタイプのウキ本体１１の長手方向中心部に、例えば、ウキ止め糸や、ウキ止めゴム等を結びつけて形成するウキ止め１２を備えた道糸１３を挿通させるための貫通孔１４を有している。この貫通孔１４は、ウキ本体１１の軸心に沿って、又は軸心から偏心した位置にウキ止め１２を含めて道糸１３が挿通可能なように、例えば、ドリル等で木や、プラスチック製の成形体のウキ本体１１に穿孔加工したり、プラスチックの場合には一体成形等で形成することもできる。そして、この釣り用ウキ１０は、道糸１３の先端側が挿入される入り口側である貫通孔１４の前端開口部１５に、ウキ止め１２で道糸１３の挿通を一時的に停止させることができる筒体からなるプラスチック製や、金属製からなるウキ止め掛止体１６を有している。
【００１４】
図２（Ａ）、（Ｂ）に示すように、上記のウキ止め掛止体１６は、筒体の鍔部１７を貫通孔１４の前端開口部１５の外周辺部に、筒体の筒部１８を貫通孔１４の壁面に当接させて嵌着している。また、ウキ止め掛止体１６は、道糸１３の挿通する道糸挿通孔１９がウキ止め１２より大きい直径で、孔の中心をウキ本体１１の貫通孔１４の中心と偏心させて設けられている。そして、道糸挿通孔１９の偏心方向の筒部肉厚部２０には、ウキ止め掛止体１６の両端の開口間を連通させて、例えば断面視してＵ字形状等からなる溝２１が設けられている。この溝２１は、道糸１３は中に収まって挿通でき、ウキ止め１２は中に入ることができないように、幅が道糸１３の直径より大きく、ウキ止め１２の外形より小さく形成されている。また、ウキ止め掛止体１６には、断面視する方向である溝２１側面に対面するようにして両端開口部内周側の溝２１周辺部に、２５°〜６５°程度、好ましくは４５°程度の角度からなるテーパ部２２を有している。更に、溝２１の深さは、テーパ部２２のない部分で溝幅の２〜２０倍程度に形成されている。
【００１５】
なお、テーパ部２２の角度は、２５°を下回る場合には、ウキ止め１２の引っかかるための抵抗力が小さくなりすぎ、ウキ止め１２が滑りやすくなって、道糸１３の挿通を一時的に停止をさせることが難しくなる。一方、テーパ部２２の角度は、６５°を上回る場合には、ウキ止め１２の引っかかるための抵抗力が大きくなりすぎ、ウキ止め１２が外れにくくなり、道糸１３の一時的な停止を解除させて挿通させることが難しくなる。また、テーパ部２２は、テーパ面の表面状態を粗くしたり、テーパ面に溝２１の方向に対して垂直となるような凹凸の溝を設けたりすることで、ウキ止め１２に対して適度な抵抗力を持たせることができ、道糸１３の挿通を一時的に停止させることのコントロールを助長させることができる。更に、ウキ止め掛止体１６は、ウキ本体１１の貫通孔１４との嵌着のために、プラスチック製や、アルミニウムや、ステンレス等の金属製の筒部１８の外表面にネジを形成して、ネジ締めで嵌着させることもできる。
【００１６】
また、この釣り用ウキ１０は、ウキ本体１１に取り付けられ、道糸１３が貫通孔１４を通過して出てくる出口側である貫通孔１４の後端開口部１５ａ側に取り付けられ、道糸１３の挿通を可能として、ウキ止め１２の挿通を制止させることができるウキ止め制止体２３を有している。このウキ止め制止体２３を取り付けるために、釣り用ウキ１０は、ウキ止め掛止体１６の溝２１の深さ方向に延設する方向の貫通孔１４の後端開口部１５ａ周辺部のウキ本体１１の外表面にステンレス等からなる環状係止体２４が取り付けられて有している。そして、ウキ止め制止体２３は、環状係止体２４に基端側を着脱自在とし、他端側に道糸１３を挿通させて、ウキ止め１２の進入を制止するための環状部２５を備えている。このウキ止め制止体２３の形態には、例えば、スイベル等のような環状部２５を楕円形として、この楕円形の隙間をウキ止め１２の外形より小さくしてウキ止め１２の進入を制止するものや、サルカン等のような環状部２５を円形として、道糸１３に取り付けた球状のしもり玉２６を環状部２５で制止すると共に、このしもり玉２６でウキ止め１２の進入を制止するもの等がある。
【００１７】
この釣り用ウキ１０は、道糸１３の先端部、又は道糸１３の先に取り付けたハリス２７に取り付けられる鉛等からなる錘２８でウキ止め１２をウキ止め制止体２３に誘導させることができるようになっている。
【００１８】
次いで、図３（Ａ）、（Ｂ）を参照しながら、上記の釣り用ウキ１０の変形例の釣り用ウキ１０ａを説明する。図３（Ａ）、（Ｂ）に示すように、釣り用ウキ１０ａは、道糸１３の先端側が送出される出口側であるウキ本体１１の貫通孔１４の後端開口部１５ａに、ウキ止め１２で道糸１３の挿通を一時的に停止させることができる筒体からなるプラスチック製や、金属製等のウキ止め掛止体１６を有している。この釣り用ウキ１０ａは、ウキ止め掛止体１６をウキ本体１１の貫通孔１４の後端開口部１５ａ側に設けているので、ウキ止め制止体２３と合わせてウキ本体１１の重心を後ろ側にとることができる。また、ウキ止め掛止体１６が金属製からなる場合には、更にウキ本体１１の重心を後ろ側にとることができる。上記の釣り用ウキ１０ａは、貫通孔１４の後端開口部１５ａ側にウキ止め掛止体１６を設ける以外は、上記釣り用ウキ１０の場合と同様に形成されているので、説明を省略する。
【００１９】
なお、上記の釣り用ウキ１０、１０ａには、ウキ止め掛止体１６が設けられた貫通孔１４の反対側の開口部１５、又は開口部１５ａに鍔付きの筒体を嵌着させて有することもできる。これにより、ウキ本体１１の貫通孔１４の開口部１５、又は開口部１５ａには、道糸１３の挿通による摩耗を防止することができる。また、釣り用ウキ１０、１０ａに使用されるウキ止め１２は、道糸１３にウキ止め糸や、ウキ止めゴム等を結びつけて形成するので、道糸１３の先に取り付けられるハリス２７を垂らした時の釣り針２９までの棚位置を調整できるように道糸１３上の移動が可能となっている。
【００２０】
上記の釣り用ウキ１０、１０ａを用いて魚を狙う場合には、道糸１３の先端部、又は道糸１３の先に取り付けたハリス２７に取り付けられる鉛等からなる錘２８、更にこれに加えてウキ止め制止体２３の重みで、ウキ本体１１の貫通孔１４の後端開口部１５ａ側を水面下側に傾かせることができると共に、ウキ止め掛止体１６の溝２１側を下側にして道糸１３を確実にウキ止め掛止体１６の溝２１に誘導させることができる。特に、ウキ止め掛止体１６が貫通孔１４の後端開口部１５ａ側に設けられたり、更には、これがが金属製である場合には、ウキ本体１１の貫通孔１４の後端開口部１５ａ側を水面下側に傾かせることができる。そして、ウキ止め１２を設けた道糸１３は、釣り竿を操作すると共に、ウキ止め掛止体１６の前端開口部内周側に設けたテーパ部２２によって容易にウキ止め１２を道糸挿通孔１９の中、及び貫通孔１４を通過させている。次いで、道糸１３は、道糸１３を通し、ウキ止め１２を通さない楕円形の環状部２５を備えるスイベルや、道糸１３に取り付けた球状のしもり玉２６と円状の環状部２５を備えるサルカン等からなるウキ止め制止体２３でウキ止め１２を停止させることで道糸１３の先に取り付けたハリスの先の釣り針２９を所望する棚位置に到達させている。
【００２１】
しかしながら、上記のような状態で表層を浮遊する釣り用ウキ１０ａ、１０ｂは、潮流の早さが表層から棚位置である下層に行くほど遅くなり、ウキ本体１１に引っ張られて釣り針２９よりハリス２７が先行することとなる。このような状態になった場合には、棚位置で潮流に対峙して餌を待つ魚がハリス２７の存在で警戒心が働き、餌を食わなくなる。そこで、この場合には、道糸１３を張ってウキ止め掛止体１６の道糸挿通孔１９の中を通過していたウキ止め１２を溝２１の出口付近で掛止させてウキ本体１１を引き寄せ、釣り針２９を先行させるようにしている。なお、ウキ止め制止体２３で制止していたウキ止め１２をウキ止め掛止体１６の溝２１の出口付近で掛止させるまでの移動距離は、僅かであるので、釣り針２９までの棚深さを変更させることなく、ハリス２７より釣り針２９を先行させることができる。そして、魚が掛かって道糸１３を引き上げる場合には、ウキ止め１２は、釣り竿を操作すると共に、ウキ止め掛止体１６の後端開口部内周側に設けたテーパ部２２によって容易に掛止を解除させて道糸挿通孔１９の中を通過させることができるようになる。
【００２２】
次に、図４、図５（Ａ）、（Ｂ）を参照しながら、第２の発明の一実施の形態に係る釣り用ウキを説明する。図４に示すように、第２の発明の一実施の形態に係る釣り用ウキ１０ｂは、上記の第１の発明の一実施の形態に係る釣り用ウキ１０、その変形例の釣り用ウキ１０ａの場合と同様に、玉ウキタイプのウキ本体１１の長手方向中心部に、ウキ止め１２を備えた道糸１３を挿通させるための貫通孔１４を有している。この貫通孔１４は、ウキ本体１１の軸心に沿って、又は軸心から偏心した位置にウキ止め１２を含めて道糸１３が挿通可能なように形成されている。この釣り用ウキ１０ｂは、貫通孔１４を設けるウキ本体１１に取り付けられてウキ止め１２で道糸１３の挿通を一時的に停止させることができる筒体からなるプラスチック製や、金属製のウキ止め掛止体１６を有している。また、釣り用ウキ１０ｂは、貫通孔１４を設けるウキ本体１１に取り付けられてウキ止め１２で道糸１３の挿通を制止させることができる筒状体からなるプラスチック製や、アルミニウムや、ステンレス等の金属製のウキ止め停止体３０を有している。そして、この釣り用ウキ１０ｂは、道糸１３の先端部、又は道糸１３の先に取り付けたハリス２７に取り付けられる鉛等からなる錘２８でウキ止め１２をウキ止め停止体３０に誘導させることができるようになっている。
【００２３】
図５（Ａ）、（Ｂ）に示すように、釣り用ウキ１０ｂは、上記の釣り用ウキ１０の場合と同様に、貫通孔１４の前端開口部１５にウキ止め掛止体１６を筒体の鍔部１７を貫通孔１４の外周辺部に当接させ、貫通孔１４の壁面に筒体の筒部１８を当接、あるいはネジ締めさせて嵌着している。このウキ止め掛止体１６は、道糸１３の挿通する道糸挿通孔１９がウキ止め１２より大きい直径で、孔の中心をウキ本体１１の貫通孔１４の中心と偏心させて設けられている。そして、道糸挿通孔１９の偏心方向の筒部肉厚部２０には、ウキ止め掛止体１６の両端の開口間を連通させて、例えば断面視してＵ字形状等からなる溝２１が設けられている。この溝２１は、道糸１３は中に収まって挿通でき、ウキ止め１２は中に入ることができないように、幅が道糸１３の直径より大きく、ウキ止め１２の外形より小さく形成されている。また、ウキ止め掛止体１６には、断面視する方向である溝２１側面に対面するようにして両端開口部内周側の溝２１周辺部に、２５°〜６５°程度、好ましくは４５°程度の角度からなるテーパ部２２を有している。更に、溝２１の深さは、テーパ部２２のない部分で溝幅の２〜２０倍程度に形成されている。なお、テーパ部２２の角度は、前記の釣り用ウキ１０、１０ａの場合と同様に、２５°を下回る場合には、道糸１３の挿通を一時的に停止をさせることが難しくなり、６５°を上回る場合には、道糸１３の一時的な停止を解除させて挿通させることが難しくなる。また、テーパ部２２は、テーパ面の表面状態を粗くしたり、凹凸の溝を設けたりすることで、道糸１３の挿通を一時的に停止させることのコントロールを助長させることができる。
【００２４】
また、釣り用ウキ１０ｂは、道糸１３が繰り出される側の貫通孔１４の後端開口部１５ａに鍔部１７ａ、筒部３１、及び筒部３１の一方側の開口を塞ぐ隔壁部３２からなる筒状体のウキ止め停止体３０を筒状体の鍔部１７ａを貫通孔１４の外周辺部に当接させ、貫通孔１４の壁面に筒部３１を当接、あるいはネジ締めさせて嵌着している。このウキ止め停止体３０には、隔壁部３２の中央部に道糸１３の直径より大きく、ウキ止め１２の外形より小さい幅の道糸１３を挿通させて、ウキ止め１２の進入を制止するための縦長の切り欠き３３が設けられている。この切り欠き３３は、長さを特に限定するものではないが、筒部３１の直径を縦長に切り欠くように形成するのが好ましい。また、ウキ止め停止体３０は、隔壁部３２がウキ止め停止体３０の筒部３１の径に対して対向する方向に設けられると共に、ウキ止め掛止体１６の溝２１の深さ方向と同方向側に向かって下方側が鍔部１７ａ側に近接するような傾斜を備える筒状体からなっている。なお、釣り用ウキ１０ｂは、第１発明の一実施の形態に係る釣り用ウキ１０、その変形例の釣り用ウキ１０ａに設けるようなウキ本体１１に取り付けるウキ止め制止体２３を必要としない。また、釣り用ウキ１０ｂのウキ止め停止体３０は、金属製にして筒部３１の長さを調整することで重みを持たせ、ウキ本体１１の貫通孔１４の後端開口部１５ａ側を水面下側に傾かせることができる。更に、この金属製のウキ止め停止体３０は、ネジ締め形態とする筒部３１の長さの異なるものを数種類準備することで、状況に合わせてウキ本体１１の貫通孔１４の後端開口部１５ａ側を水面下側に傾かせる角度調整を容易に行うことができる。また、ネジ締め形態の場合は、ネジをゆるめて取り外して貫通孔１４内に入り込んだゴミ等を除去することが容易にできる。
【００２５】
上記の釣り用ウキ１０ｂを用いて魚を狙う場合には、道糸１３の先端部、又は道糸１３の先に取り付けたハリス２７に取り付けられる錘２８、更にこれに加えてウキ止め停止体３０の重みで、ウキ本体１１の貫通孔１４の後端開口部１５ａ側を水面下側に傾かせることができる。そして、ウキ止め１２を設けた道糸１３は、釣り竿を操作すると共に、ウキ止め掛止体１６の前端開口部内周側に設けたテーパ部２２によって容易にウキ止め１２を道糸挿通孔１９の中を通過させている。次いで、道糸１３は、錘２８によって水中下に引き出されて道糸１３を通し、ウキ止め１２を通さないウキ止め停止体３０の切り欠き３３でウキ止め１２を停止させることで道糸１３の先に取り付けたハリスの先の釣り針２９を所望する棚位置に到達させている。切り欠き３３を挿通する道糸１３は、ウキ本体１１の傾きと、傾斜のある切り欠き３３でウキ止め１２が傾斜方向に引っ張られてウキ止め掛止体１６の溝２１側にずらすことができ、ウキ止め掛止体１６の溝２１側を下側にして道糸１３を確実にウキ止め掛止体１６の溝２１に誘導させることができる。そして、この状態で表層を浮遊する釣り用ウキ１０ｂは、潮流の早さが表層から棚位置である下層に行くほど遅くなることで、ウキ本体１１に引っ張られて釣り針２９よりハリス２７が先行することとなる。このような状態では、棚位置で潮流に対峙して餌を待つ魚がハリス２７の存在で警戒心が働き、餌を食わなくなる。そこで、この時には、道糸１３を引っ張ってウキ止め１２をウキ止め掛止体１６の溝２１の出口付近で掛止させてウキ本体１１を引き寄せ、釣り針２９を先行させるようにしている。なお、ウキ止め停止体３０で制止していたウキ止め１２をウキ止め掛止体１６の溝２１の出口付近で掛止させるまでの移動距離は、ウキ本体１１の貫通孔１４内の僅かであるので、釣り針２９までの棚深さを変更させることなく、ハリス２７より釣り針２９を先行させることができる。そして、魚が掛かって道糸１３を引き上げる場合には、ウキ止め１２は、釣り竿を操作すると共に、ウキ止め掛止体１６の後端開口部内周側に設けたテーパ部２２によって容易に掛止を解除させて道糸挿通孔１９の中を通過させることができるようになる。
【産業上の利用可能性】
【００２６】
本発明の釣り用ウキは、岩場の岸から若干離れた深い棚に生息する黒鯛（チヌ）等の非常に敏感な反応を示す魚を狙う場合に好適に使用することができる。
【図面の簡単な説明】
【００２７】
【図１】は第１の発明の一実施の形態に係る釣り用ウキの説明図である。
【図２】（Ａ）、（Ｂ）はそれぞれ同釣り用ウキの縦断面図、Ａ−Ａ’線拡大縦断面図である。
【図３】（Ａ）、（Ｂ）はそれぞれ同釣り用ウキの変形例の釣り用ウキの縦断面図、Ｂ−Ｂ’線拡大縦断面図である。
【図４】は第２の発明の一実施の形態に係る釣り用ウキの説明図である。
【図５】（Ａ）、（Ｂ）はそれぞれ同釣り用ウキの縦断面図、側面図である。
【図６】は従来の釣り用ウキの説明図である。
【符号の説明】
【００２８】
１０、１０ａ、１０ｂ：釣り用ウキ、１１：ウキ本体、１２：ウキ止め、１３：道糸、１４：貫通孔、１５：前端開口部、１５ａ：後端開口部、１６：ウキ止め掛止体、１７、１７ａ：鍔部、１８：（ウキ止め掛止体の）筒部、１９：道糸挿通孔、２０：筒部肉厚部、２１：溝、２２：テーパ部、２３：ウキ止め制止体、２４：環状掛止体、２５：環状部、２６：しもり玉、２７：ハリス、２８：錘、２９：釣り針、３０：ウキ止め停止体、３１：（ウキ止め停止体の）筒部、３２：隔壁部、３３：切り欠き
【図１】
2008148591.tif 000003
【図２】
2008148591.tif 000004
【図３】
2008148591.tif 000005
【図４】
2008148591.tif 000006
【図５】
2008148591.tif 000007
【図６】
2008148591.tif 000008